(57)【要約】      （修正有）【課題】機器の大型化を招くことなく、押圧操作した際の操作ボタン部の傾きを防止して良好な操作感を得るとともに、押圧操作を解除した際の操作ボタン部の振動による異音を抑制する。【解決手段】機器本体の外装カバー４ｂに取り付けられる操作ボタン部材５は、操作ボタン部１３と、外装カバー４ｂの内面に取り付けられる取付部１０と、取付部１０と操作ボタン部１３とを接続して操作ボタン部１３を弾性支持する支持アーム１１と、支持アーム１１から背面カバー４ｂの内面に沿う方向に延設される弾性腕１４ａ，１４ｂとを有する。弾性腕１４ａ，１４ｂは、操作ボタン部材５が外装カバー４ｂに取り付けられた状態で弾性変形して付勢力を発生させ、前記付勢力により、弾性腕１４ａ，１４ｂの延設方向の先端部１５ａ，１５ｂを外装カバー４ｂの内面に押し付けるとともに、操作ボタン部１３の押し軸１２を機器本体に保持されたスイッチに押し付ける。【選択図】図５
2013229133.tif 000002
【特許請求の範囲】
【請求項１】
機器本体と、前記機器本体の外装カバーに取り付けられる操作ボタン部材と、を備える電子機器であって、
前記操作ボタン部材は、
操作ボタン部と、
前記外装カバーの内面に取り付けられる取付部と、
前記取付部と前記操作ボタン部とを接続して前記取付部に対して前記操作ボタン部を押圧操作可能に弾性支持する支持アームと、
前記支持アームから前記背面カバーの内面に沿う方向に延設される弾性腕と、を有し、
前記弾性腕は、前記操作ボタン部材が前記外装カバーに取り付けられた状態で弾性変形して付勢力を発生させ、前記付勢力により、前記弾性腕の前記延設方向の先端部を前記外装カバーの内面に押し付けるとともに、前記操作ボタン部の押し軸を前記機器本体に保持されたスイッチに押し付けることを特徴とする電子機器。
【請求項２】
前記弾性腕は、前記支持アームの前記操作ボタン部との接続部と、前記支持アームの前記取付部との接続部との間の中点位置より前記操作ボタン部の側に配置されることを特徴とする請求項１に記載の電子機器。
【発明の詳細な説明】
【技術分野】
【０００１】
本発明は、例えばデジタルカメラ等の電子機器し、特に電子機器に設けられる操作ボタン部材の改良に関する。
【背景技術】
【０００２】
デジタルカメラ等の電子機器に設けられる操作ボタン部材として、操作ボタン部と、機器本体の外装内面に取り付けられる取付部と、取付部と操作ボタン部とを接続して取付部に対して操作ボタン部を押圧操作可能に弾性支持する支持アームとを備えるものがある。
【０００３】
操作ボタン部は、キートップ、フランジ及び押し軸等を有する。そして、キートップを押圧操作すると、押し軸により機器本体の内部に設けられたスイッチユニットのスイッチが押され、これにより、スイッチから信号がスイッチ信号処理回路に出力されて、所定の信号処理が行われる。
【０００４】
ところで、操作ボタン部のキートップの操作感は、スイッチユニットの他に、操作ボタン部と取付部とを接続する支持アームの形状が大きく影響する。そこで、操作ボタン部の周囲に沿って円弧状に支持アームを配置して、キートップの操作感を良好にした技術が提案されている（特許文献１）。
【先行技術文献】
【特許文献】
【０００５】
【特許文献１】特開平８−７６９７号公報
【発明の概要】
【発明が解決しようとする課題】
【０００６】
しかし、上記特許文献１では、支持アームは、操作ボタン部のキートップを押圧操作した際に、押し軸がスイッチユニットのスイッチの中心を押すように操作ボタン部をガイドする機能を有していない。このため、操作ボタン部の傾きを回避してキートップの良好な操作感を得るためには、別途にガイド機構を設ける必要があり、電子機器の大型化を招く原因になる。
【０００７】
また、上記特許文献１では、操作ボタン部のキートップの押圧操作を解除した際に、支持アームの弾性により操作ボタン部が振動し、操作ボタン部のフランジが機器本体の外装内面に複数回衝突して異音（ビビリ音）が発生するという問題がある。
【０００８】
そこで、本発明は、機器の大型化を招くことなく、キートップを押圧操作した際の操作ボタン部の傾きを防止して良好な操作感を得るとともに、押圧操作を解除した際の操作ボタン部の振動による異音を抑制する仕組みを提供することを目的とする。
【課題を解決するための手段】
【０００９】
上記目的を達成するために、本発明は、機器本体と、前記機器本体の外装カバーに取り付けられる操作ボタン部材と、を備える電子機器であって、前記操作ボタン部材は、操作ボタン部と、前記外装カバーの内面に取り付けられる取付部と、前記取付部と前記操作ボタン部とを接続して前記取付部に対して前記操作ボタン部を押圧操作可能に弾性支持する支持アームと、前記支持アームから前記背面カバーの内面に沿う方向に延設される弾性腕と、を有し、前記弾性腕は、前記操作ボタン部材が前記外装カバーに取り付けられた状態で弾性変形して付勢力を発生させ、前記付勢力により、前記弾性腕の前記延設方向の先端部を前記外装カバーの内面に押し付けるとともに、前記操作ボタン部の押し軸を前記機器本体に保持されたスイッチに押し付けることを特徴とする。
【発明の効果】
【００１０】
本発明によれば、機器の大型化を招くことなく、キートップを押圧操作した際の操作ボタン部の傾きを防止して良好な操作感を得ることができるとともに、押圧操作を解除した際の操作ボタン部の振動による異音を抑制することができる。
【図面の簡単な説明】
【００１１】
【図１】本発明の電子機器の実施形態の一例であるデジタルカメラを背面側から見た分解斜視図である。
【図２】図１に示すデジタルカメラの組立体を背面側から見た場合の右側の側面図である。
【図３】操作ボタン部材を表面側（操作側）から見た斜視図である。
【図４】操作ボタン部材を背面カバーに取り付ける方法を説明するための斜視図である。
【図５】背面カバーに操作ボタン部材を取り付けた状態を背面カバーの内面側から見た図である。
【図６】カメラ本体を背面側から見た図である。
【図７】図６のＣ−Ｃ線断面図である。
【図８】図５のＤ−Ｄ線断面図である。
【発明を実施するための形態】
【００１２】
以下、本発明の実施形態の一例を図面を参照して説明する。
【００１３】
図１は本発明の電子機器の実施形態の一例であるデジタルカメラを背面側から見た分解斜視図、図２は図１に示すデジタルカメラの組立体を背面側から見た場合の右側の側面図である。
【００１４】
図１及び図２に示すように、本実施形態のデジタルカメラは、正面カバー４ａ、背面カバー４ｂ、及び側面カバー４ｃ等によりカメラ本体１の外装を形成している。背面カバー４ｂの上部は、Ｒ状に形成されており、Ｒ状部分には、操作ボタン部材５の操作ボタン部１３が光軸方向に対して斜め方向に押圧操作可能に設けられている。
【００１５】
カメラ本体１の内部には、撮像素子やスイッチユニット３等の他、各種電気部品や光学部品等を保持する本体構造体２が設けられ、カメラ本体１の背面側には、ＬＣＤ等の表示パネル７が設けられている。ここで、カメラ本体１は、本発明の機器本体の一例に相当し、背面カバー４ｂは、本発明の外装カバーの一例に相当する。
【００１６】
図３は操作ボタン部材５を表面側（操作側）から見た斜視図、図４は操作ボタン部材５を背面カバー４ｂに取り付ける方法を説明するための斜視図である。
【００１７】
図３に示すように、操作ボタン部材５は、操作ボタン部１３と、背面カバー４ｂの内面に取り付けられる取付部１０と、取付部１０と操作ボタン部１３とを接続して取付部１０に対して操作ボタン部１３を押圧操作可能に弾性支持する支持アーム１１とを備える。
【００１８】
操作ボタン部１３には、キートップ１３ａ、フランジ１９、及び押し軸１２（図５参照）が設けられる。キートップ１３ａは、図４に示すように、背面カバー４ｂに形成された開口部２１に背面カバー４ｂの内面側から嵌め込まれて位置決めされる。
【００１９】
取付部１０には、接着用開口部９、及び位置決めボス８が設けられる。位置決めボス８は、図４に示すように、背面カバー４ｂの内面に形成された位置決め穴２２に背面カバー４ｂの内面側から嵌め込まれて位置決めされる。
【００２０】
そして、キートップ１３ａ、及び位置決めボス８をそれぞれ開口部２１、及び位置決め穴２２に嵌め込んだ状態で、接着用開口部９に接着剤を充填して背面カバー４ｂに取付部１０を固定することで、背面カバー４ｂに操作ボタン部材５が取り付けられる。
【００２１】
かかる取付状態においては、開口部２１に嵌め込まれたキートップ１３ａが背面カバー４ｂの外面から突出して、ユーザによる押圧操作が可能となる。
【００２２】
支持アーム１１は、操作ボタン部１３のフランジ１９と取付部１０とを接続し、背面カバー４ｂの内面を沿うようにして複数回凹凸状に屈曲して形成される。
【００２３】
また、支持アーム１１には、支持アーム１１のフランジ１９との接続部Ｂと、取付部１０との接続部Ａとを結ぶ線に対して交差（本実施形態では、略直交）する方向で且つ背面カバー４ｂの内面を沿う方向に延びる一対の弾性腕１４ａ，１４ｂが設けられている。
【００２４】
一対の弾性腕１４ａ，１４ｂは、支持アーム１１に対して互いに逆方向に延設され、その延設方向の先端部には、背面カバー４ｂの内面に当接する突起１５ａ，１５ｂが設けられている。
【００２５】
次に、図５〜図８を参照して、操作ボタン部材５について更に詳しく説明する。
【００２６】
図５は背面カバー４ｂに操作ボタン部材５を取り付けた状態を背面カバー４ｂの内面側から見た図、図６はカメラ本体１を背面側から見た図、図７は図６のＣ−Ｃ線断面図、図８は図５のＤ−Ｄ線断面図である。
【００２７】
図５に示すように、支持アーム１１に設けられる一対の弾性腕１４ａ，１４ｂは、接続部Ａと接続部Ｂとの間の中点位置より接続部Ｂ側に配置されている。また、弾性腕１４ａは、支持アーム１１の突起１５ａに近い側の部位から延設され、支持アーム１１の突起１５ｂに近い側の部位から延設されている。これにより、操作ボタン部１３のキートップ１３ａを押圧操作した際に、支持アーム１１が十分に弾性変形するようになっている。
【００２８】
図６及び図７に示すように、操作ボタン部１３の押し軸１２は、キートップ１３ａと略同軸に設けられて、カメラ本体１の本体構造体２に保持されたスイッチユニット３のスイッチに接触している。また、操作ボタン部１３のフランジ１９は、操作ボタン部材５の取付誤差等を考慮して、背面カバー４ｂの内面との間にすき間を形成して配置されている。
【００２９】
ここで、図８に示すように、操作ボタン部材５は、支持アーム１１に設けられる一対の弾性腕１４ａ，１４ｂを弾性変形させた状態で背面カバー４ｂに取り付けられる。そして、一対の弾性腕１４ａ，１４ｂは、弾性変形することで付勢力を発生させ、当該付勢力により突起１５ａ，１５ｂを背面カバー４ｂの内面に押し付けるとともに、操作ボタン部１３の押し軸１２をスイッチユニット３のスイッチに押し付ける。
【００３０】
従って、操作ボタン部材５は、突起１５ａ，１５ｂと背面カバー４ｂとの各接触点、及び押し軸１２とスイッチユニット３のスイッチとの接触点の３点で支持された状態で操作ボタン部１３のキートップ１３ａを押圧操作することが可能となる。
【００３１】
そして、操作ボタン部１３のキートップ１３ａを押圧操作すると、支持アーム１１が弾性変形して押し軸１２によりスイッチユニット３のスイッチが押され、これにより、スイッチから信号がスイッチ信号処理回路に出力されて、所定の信号処理が行われる。
【００３２】
また、操作ボタン部１３のキートップ１３ａの押圧操作を解除、すなわち、キートップ１３ａから指を離すと、支持アーム１１の弾性により操作ボタン部１３が元の位置に復帰する。
【００３３】
以上説明したように、本実施形態では、操作ボタン部材５は、突起１５ａ，１５ｂと背面カバー４ｂとの各接触点、及び押し軸１２とスイッチユニット３のスイッチとの接触点の３点で支持される。
【００３４】
このため、従来のように、別途にガイド機構を設けなくても、操作ボタン部１３のキートップ１３ａを押圧操作した際の操作ボタン部１３の傾きを防止することができ、カメラの大型化を招くことなく、良好な操作感を得ることができる。
【００３５】
また、本実施形態では、一対の弾性腕１４ａ，１４ｂの弾性変形により、背面カバー４ｂの内面に対して突起１５ａ，１５ｂが付勢された状態で押し付けられている。このため、キートップ１３ａの押圧操作を解除した際の支持アーム１１の弾性による操作ボタン部１３の振動を抑制することができ、操作ボタン部１３のフランジ１９と背面カバー４ｂの内面が衝突することにより発生する異音（ビビリ音）を抑制することができる。
【００３６】
なお、本発明の構成は、上記実施形態に例示したものに限定されるものではなく、材質、形状、寸法、形態、数、配置箇所等は、本発明の要旨を逸脱しない範囲において適宜変更可能である。
【符号の説明】
【００３７】
１  カメラ本体
３  スイッチユニット
４ｂ  背面カバー
５  操作ボタン部材
１０  取付部
１１  支持アーム
１２  押し軸
１３  操作ボタン部
１３ａ  キートップ
１４ａ，１４ｂ  弾性腕
１９  フランジ
【図１】
2013229133.tif 000003
【図２】
2013229133.tif 000004
【図３】
2013229133.tif 000005
【図４】
2013229133.tif 000006
【図５】
2013229133.tif 000007
【図６】
2013229133.tif 000008
【図７】
2013229133.tif 000009
【図８】
2013229133.tif 000010